【手続補正書】
【提出日】平成24年2月29日(2012.2.29)
【手続補正１】
【補正対象書類名】特許請求の範囲
【補正対象項目名】全文
【補正方法】変更
【補正の内容】
【特許請求の範囲】
【請求項１】
入力信号を、複数の出力端に分配して出力する信号分配手段と、
前記信号分配手段の前記複数の出力端のそれぞれに接続される信号処理部の複数個と、
前記複数個の信号処理部の少なくとも一つに設けられ、前記信号分配手段からの信号の伝送路をオン・オフする１または複数の信号用スイッチと、
前記１または複数の信号用スイッチの切替信号を発生する切替信号発生部と、
前記切替信号により前記信号処理部の前記１または複数の信号用スイッチが切り替えられたときに、前記１または複数の信号用スイッチが切り替えられた信号処理部の入力インピーダンスが、急峻でない遷移をするように抑制するための抑制手段と、
を備える信号処理装置。
【請求項２】
請求項１に記載の信号処理装置において、
前記抑制手段は、前記信号分配手段と前記信号処理部との間の信号伝送路に設けられるインピーダンス遷移補正回路からなり、
前記インピーダンス遷移補正回路は、前記切替信号により前記信号処理部の前記１または複数の信号用スイッチが切り替えられるときに、前記信号処理部の入力インピーダンスが、急峻でない遷移をするように制御される
信号処理装置。
【請求項３】
請求項１に記載の信号処理装置において、
前記抑制手段は、前記切替信号発生部からの急峻な遷移の前記切替信号を、急峻でない遷移をする切替信号に抑制して前記信号処理部の前記１または複数の信号用スイッチに供給する切替信号補正手段からなる
信号処理装置。
【請求項４】
請求項３に記載の信号処理装置において、
前記切替信号補正手段は、前記切替信号の前記１または複数の信号用スイッチへの信号路に設けられる時定数回路からなる
信号処理装置。
【請求項５】
請求項３に記載の信号処理装置において、
前記切替信号補正手段は、キャパシタ素子と、前記切替信号に基づいて駆動され、前記キャパシタ素子への充放電を行うチャージポンプ回路とから構成される
信号処理装置。
【請求項６】
請求項５に記載の信号処理装置において、
前記切替信号補正手段を構成するチャージポンプ回路は、微小電流発生源から供給される微小電流を元に動作する
信号処理装置。
【請求項７】
請求項６に記載の信号処理装置において、
前記微小電流発生源は、前記入力インピーダンスの遷移特性を可変するために、発生する前記微小電流を可変にする電流調節機能を備える
信号処理装置。
【請求項８】
請求項３〜請求項７のいずれかに記載の信号処理装置において、
前記１または複数の信号用スイッチは、電界効果トランジスタで構成されると共に、ゲート制御端子とドレイン制御端子とを備え、
前記切替信号補正手段は、前記切替信号に基づき、前記ゲート制御端子と前記ドレイン制御端子とに相補的な制御電位を与えることで、前記１または複数の信号用スイッチをオン・オフする
信号処理装置。
【請求項９】
請求項１〜８のいずれかに記載の信号処理装置は、放送信号の受信装置であって、
前記複数の信号処理部はチューナのフロントエンド回路であって、前記信号用スイッチが設けられるフロントエンド回路は、受信信号の周波数帯域を複数に分割して、各分割周波数帯域毎に処理するようにするものであり、
前記信号分配手段は、受信した放送信号を、複数このチューナのフロントエンド回路に分配して供給するものであり、
前記信号用スイッチは、前記信号分配手段からの受信信号の前記複数の周波数帯域のうちの前記信号処理部で処理する分割周波数帯域を選択するためのスイッチであり、
前記切替信号は、前記チューナにおける選局チャンネルが、いずれの分割周波数帯域に含まれるかにより、前記信号処理部に対して自動的に生成されて供給される
信号処理装置。
【請求項１０】
入力端を通じて入力される受信信号の伝送路をオン・オフする１または複数の信号用スイッチと、
切替信号により、前記１または複数の信号用スイッチが切り替えられたときに、入力インピーダンスが、急峻でない遷移をするように抑制するための抑制手段と、
を備える受信装置のフロントエンド回路。
【請求項１１】
請求項１０に記載の受信装置のフロントエンド回路において、
前記受信信号の周波数帯域を複数に分割して、各分割周波数帯域毎に処理するようにするものであり、
前記信号用スイッチは、前記受信信号の前記複数の周波数帯域のうちで処理する分割周波数帯域を選択するためのスイッチであり、
前記切替信号は、選局チャンネルが、いずれの分割周波数帯域に含まれるかにより、前記信号処理部に対して自動的に生成されて供給される
受信装置のフロントエンド回路。
【請求項１２】
請求項１０に記載の受信装置のフロントエンド回路において、
前記抑制手段は、急峻な遷移の前記切替信号を、急峻でない遷移をする切替信号に変更して前記１または複数の信号用スイッチに供給する切替信号補正手段からなる
受信装置のフロントエンド回路。
【請求項１３】
請求項１２に記載の受信装置のフロントエンド回路において、
前記切替信号補正手段は、前記切替信号の前記１または複数の信号用スイッチへの信号路に設けられる時定数回路からなる
受信装置のフロントエンド回路。
【請求項１４】
請求項１２に記載の受信装置のフロントエンド回路において、
前記切替信号補正手段は、キャパシタ素子と、前記切替信号に基づいて駆動され、前記キャパシタ素子への充放電を行うチャージポンプ回路とから構成される
受信装置のフロントエンド回路。
【請求項１５】
請求項１４に記載の受信装置のフロントエンド回路において、
前記切替信号補正手段を構成するチャージポンプ回路は、微小電流発生源から供給される微小電流を元に動作する
受信装置のフロントエンド回路。
【請求項１６】
請求項１５に記載の受信装置のフロントエンド回路において、
前記微小電流発生源は、前記入力インピーダンスの遷移特性を可変するために、発生する前記微小電流を可変にする電流調節機能を備える
受信装置のフロントエンド回路。
【請求項１７】
請求項１２〜請求項１６のいずれかに記載の受信装置のフロントエンド回路において、
前記１または複数の信号用スイッチは、電界効果トランジスタで構成されると共に、ゲート制御端子とドレイン制御端子とを備え、
前記切替信号補正手段は、前記切替信号に基づき、前記ゲート制御端子と前記ドレイン制御端子とに相補的な制御電位を与えることで、前記１または複数の信号用スイッチをオン・オフする
受信装置のフロントエンド回路。
【請求項１８】
ＩＣ（Ｉｎｔｅｇｒａｔｅｄ  Ｃｉｒｃｕｉｔ；集積回路）化されていることを特徴とする請求項１２〜請求項１７のいずれかに記載の受信装置のフロントエンド回路。
【請求項１９】
信号伝送路をオン・オフする１または複数の信号用スイッチを備える信号処理部の複数個に、入力信号を信号分配手段により分配して供給する信号処理装置におけるスイッチ切替制御方法であって、
制御手段が、切替信号により前記信号処理部の前記１または複数の信号用スイッチが切り替えられたときに、前記１または複数の信号用スイッチが切り替えられた信号処理部の入力インピーダンスが、急峻でない遷移をするように抑制するための抑制工程を有する
信号処理装置におけるスイッチ切替制御方法。
【請求項２０】
入力端を通じて入力される受信信号の伝送路をオン・オフする１または複数の信号用スイッチと、制御手段を備えるフロントエンド回路におけるスイッチ切替制御方法であって、
切替信号により、前記１または複数の信号用スイッチが切り替えられたときに、前記制御手段が、前記フロントエンド回路の入力インピーダンスが、急峻でない遷移をするように抑制するための抑制工程を有する
フロントエンド回路におけるスイッチ切替制御方法。
【手続補正２】
【補正対象書類名】明細書
【補正対象項目名】００２０
【補正方法】変更
【補正の内容】
【００２０】
そして、第１および第２のチューナ２３１および２３２のフロントエンド回路１のそれぞれは、マイクロコンピュータで構成される制御部２０から、独立に、バンド切替信号ＳＷ１，ＳＷ２，ＳＷ３（図１４では図示は省略）を受けて、バンド切り替えを行う。また、第１および第２のチューナ２３１および２３２は、制御部２０からのチャンネル選局信号に応じて局部発信信号を制御して、チャンネル選択を行う。
【手続補正３】
【補正対象書類名】明細書
【補正対象項目名】００５６
【補正方法】変更
【補正の内容】
【００５６】
図２に、インピーダンス遷移補正回路３１、３２の構成例を示す。このインピーダンス
遷移補正回路３１，３２は、制御部２０から受ける制御信号が、第１の制御信号ＥＮ１，第２の制御信号ＥＮ２というように異なるのみで、同様の構成を備える。
【手続補正４】
【補正対象書類名】明細書
【補正対象項目名】００８５
【補正方法】変更
【補正の内容】
【００８５】
そして、バンド切替信号ＳＷ１，ＳＷ２またはＳＷ３は、時定数回路４３１を通じてゲート制御端子４０５に供給される。また、バンド切替信号ＳＷ１，ＳＷ２またはＳＷ３は、インバータ４３３により極性判定された後、時定数回路４３２を通じてドレイン制御端子４０６に供給される。
【手続補正５】
【補正対象書類名】明細書
【補正対象項目名】０１４６
【補正方法】変更
【補正の内容】
【０１４６】
また、図１２は、例えば信号用スイッチ４２Ａへのバンド切替信号ＳＷ１がローレベルからハイレベルに切り替わる時のチューナのフロントエンド回路での入力インピーダンスの遷移状態を示している。この場合も、時間＝１ｍｓｅｃで、バンド切替信号ＳＷ１がローレベルからハイレベルに切り替わってから、インピーダンスはステップ状ではなく、緩やか（滑らか）に遷移し、ほぼ４ｍｓｅｃの遷移時間を有している。